(57)【要約】  本発明は、複数セッションフォーマットを使用する多層光ディスク上に情報を記録する方法及び装置を開示するものである。複数セッションを用いることにより、ディスクの記憶容量が効率的に利用されるようになり、ファイナライズにかかる時間が短くなる。
2007503073.tif 000002
【特許請求の範囲】
【請求項１】
情報を記憶するための少なくとも２層の情報層を有する多層記録担体上に情報を記録する方法であって、
この方法は、複数セッションに情報を記録するように構成されている多層記録担体上に情報を記録する方法。
【請求項２】
請求項１に記載の多層記録担体上に情報を記録する方法において、
少なくとも１つのセッションの情報が、少なくとも２層の情報層にわたって割り当てられている多層記録担体上に情報を記録する方法。
【請求項３】
請求項２に記載の多層記録担体上に情報を記録する方法において、
少なくとも２層の情報層にわたって情報が均一に割り当てられている多層記録担体上に情報を記録する方法。
【請求項４】
情報を記憶するための少なくとも２層の情報層を有する多層記録担体上に情報を記録するための装置であって、
この装置は、複数セッションで情報を記録するように動作する多層記録担体上に情報を記録するための装置。
【請求項５】
請求項４に記載の多層記録担体上に情報を記録する装置において、
この装置は、少なくとも１つのセッションに記録処理を行う際に、情報の記録中に層ジャンプを実行するよう動作する多層記録担体上に情報を記録するための装置。
【発明の詳細な説明】
【技術分野】
【０００１】
本発明は、複数層の情報担体上に情報を記録するための方法及び装置に関するものである。本発明は、特に、二重層ＤＶＤ―ＲＯＭの標準規格に対応するように、二重層ＤＶＤ＋Ｒ又はＤＶＤ＋Ｒ／Ｗディスク上に情報を記録するための方法及び装置に関するものである。
【０００２】
ＤＶＤ―ＲＯＭは、パーソナルコンピューター（ＰＣ）業界及び家庭用電子機器（ＣＥ）業界の双方において、成功をおさめている。二重層ＤＶＤ―ＲＯＭは、映画やコンテンツを流通させるために多く用いられている。最近、記録可能(Ｒ)及び再書込可能（Ｒ／Ｗ）な単一層のＤＶＤフォーマットが紹介された。しかし、これらフォーマットの記憶容量は、現在のところ４．７ＧＢに限られている。ＣＥ及びＰＣの双方の用途において、より多くの記憶容量が必要とされている。このような容量の増加は、二重層ＤＶＤ＋Ｒにより得られる。この二重層ＤＶＤ＋Ｒとは、８．５ＧＢの記憶容量を有する二重層追記型ディスクのことである。二重層ＤＶＤ＋Ｒのフォーマットは、単一層ＤＶＤ＋Ｒのフォーマットだけでなく、二重層ＤＶＤ―ＲＯＭのフォーマットとも互換性を有するのが好ましい。このことは、既存のＤＶＤ―ＲＯＭプレーヤ及びＰＣドライブとの互換性の観点から重要である。
【０００３】
これらの光学記録担体上には、一般にフォーマットと称される特定のルール及びレイアウトに従って情報が記憶される。これらのフォーマットは、文献中では一般に標準規格として記載されている。
【０００４】
二重層ＤＶＤ―ＲＯＭに関しては、ＤＶＤ―ＲＯＭの標準規格（ＥＣＭＡ（欧州電子計算機工業会）標準規格の２６７，１２０ｍｍのＤＶＤ読み取り専用ディスク）に規定される２つのトラックモードがある。すなわち、逆方向トラック経路（ＯＴＰ）及び平行トラック経路（ＰＴＰ）である。二重層ＤＶＤディスクに関しては、ＯＴＰトラックモード（図１に線図的に示す）が好ましい。その理由は、再生中の層ジャンプ（レイヤージャンプ）時間が少なくなる為である。
【０００５】
二重層ＤＶＤ―ＲＯＭ標準規格によれば、ユーザデータに続いて、ディスクの終わりのリードアウトゾーンまでダミーデータを存在させる必要があることに注意すべきである。このようなダミーデータがないと、ドライブが破損するおそれがある。それ故、ＤＶＤ―ＲＯＭとの互換性を得るためには、（ダミーデータを記録するために）ファイナライズに長時間を要すること、記憶スペースのロスが大きくなることを受け入れねばならない。
【０００６】
多層ディスク上に複数（マルチ）セッションをレイアウトすることは、まだ規格化されていないし、既知でもないことに注意されたい。
【発明の開示】
【０００７】
本発明の目的は、多層ディスクの多層構造を利用した、既存のＤＶＤ標準規格と互換性のある複数セッションのレイアウトを記録する方法及び装置を提供することにある。このような方法及び装置は、ファイナライズの時間が最小に維持されるようにするのが好ましい。
【０００８】
本発明によれば、多層ディスクのための複数セッションフォーマットの物理定義が示される。この複数セッションのレイアウトにより、既存のＤＶＤ標準規格との互換性（すなわち未書込スペースを無くすこと）を維持しながら、情報の記録を効率的に行いうるようになる。本発明により、１つ以上の層ジャンプを有するスーパーセッションが導入される。
【０００９】
ＤＶＤ―ＲＯＭとの互換性を得るために、記録可能な複数セッションの多層ＤＶＤディスクの層上には、空（すなわち未書込）のゾーンが存在しないようにする。二重層ＤＶＤディスクは、一般に層０（Ｌ０）及び層１（Ｌ１）と称される２層を含み、Ｌ０層は、情報の読み込み及び記録の双方又はいずれか一方に使用するレーザ光線等の放射ビームがディスクに入射する側のディスク面の最も近くに位置する情報層である。ここで、ＤＶＤ―ＲＯＭとの互換性を得るために、このような記録可能な二重層ＤＶＤディスクのＬ０層及びＬ１層上には、Ｌ０層のデータゾーンにおける最初のＰＳＮから、中間ゾーンを通って、ディスクの終わり付近のＬ１層のデータゾーンにおける最後のＰＳＮまでの間に、空のゾーンを許容しないようにする。ここで、ＰＳＮとは、物理セクタの番号、すなわち他のアドレス可能な部分と関係なくアクセスしうる、ディスクにおけるトラックのアドレス可能な最小部分の番号として規定される。
【００１０】
図１は、Ｌ０層は完全に書き込まれているが、Ｌ１層には少量のデータしか存在していない二重層ディスクを示す。従って、Ｌ１層のデータの終わりから、Ｌ１層のリードアウトゾーンまでダミーデータを存在させる必要がある。このことは、最悪の場合（Ｌ０層が完全に記録されており、Ｌ１層上には極めて少量のデータしか存在しない場合）には、層の殆ど全体にわたり、ダミーデータを書き込む必要があることを意味する。この処理には時間がかかるおそれがあり（２．４倍速の記録速度で最大３０分の記録時間になる）、また多くの記憶スペースが無駄になる。更に、Ｌ０層からＬ１層（或いはＬ１層からＬ０層）への層ジャンプの際に、常にＬ１層（或いはＬ０層）にデータが存在してＤＶＤ―ＲＯＭとの互換性が保証されるようにすべきである。
【００１１】
本発明によれば、１つ以上の層ジャンプを含むスーパーセッションが規定される。本発明による方法は、少なくともこのようなスーパーセッションを有するものである。
【００１２】
本発明の例によれば、ディスク上の物理アドレススペースを固定する。好適例においては、ディスク上の物理アドレススペースは、Ｌ０層上の最大ＰＳＮに中間ゾーンを位置させることにより固定する。この中間ゾーンのディスクスペース及び位置の双方又はいずれか一方は、ＡＤＩＰ情報部だけでなくリードイン及びリードアウトゾーンにも書き込むのが好ましい。
【００１３】
本発明の他の例によれば、単一のスーパーセッションにおける空きスペースを可能な限り小さくする。このことは、データ及びファイルを両層上に対称に割り当てることを意味する。
【００１４】
本発明の更に他の例によれば、セッションを閉じる際に、最新のセッション情報（しばしばファイルシステム情報と称される）を含ませる。この処理は、既存のＤＶＤ標準規格と互換性があるように行うのが好ましい。本発明の一例によれば、ダンピー（dumpy）データ（例えば全ての０のもの）を含む固定量のエラー訂正コード（ＥＣＣ）ブロックの（中間ゾーンのような）ジャンプゾーンを書き込んで読出中のエラーを回避する。
【００１５】
本発明の更に他の例によれば、イントロ、クロージャ及びジャンプゾーンセクタは、（第１セッションのリードイン及びリードアウトを除いて）これらがデータゾーンセクタとみなされるようになるビット設定を有する。
【００１６】
記録データは、単一セッションの場合や、データを後で追加する必要がある場合でも、図２に示すように、二重層ディスクの両層に対称的に分けるのが好ましい。同時に係属している欧州特許出願公開第03102608.1号明細書も参照されたい。
【００１７】
本発明により、融通性、使い勝手の良さ（例えば、第１セッションは、多くのＤＶＤビデオプレーヤで再生される）、ファイナライズ時間の短縮化、記憶容量の効率的利用、（例えばＤＶＤ―ＲＯＭ及び単一層ＤＶＤ＋Ｒのような）種々のＤＶＤ標準規格との互換性といった利点が得られる。
【００１８】
本発明の上述した及び他の観点を、添付図面を参照して以下に説明する。
例として、ＯＴＰ型の複数セッション多層ＤＶＤ＋Ｒディスクに関する本発明の実施例を説明する。
セッションのフォーマットは、ＤＶＤ＋Ｒに類似したものである。セッションでの層ジャンプは許容されている。
【００１９】
データゾーンは以下のように規定される（図１参照）。Ｌ０層上のデータゾーンにおける最初の物理セクタ番号（ＰＳＮ）は、アドレス（30000）hex に存在している。中間ゾーンの位置は、固定されている。すなわち、この中間ゾーンは、Ｌ０層上のデータゾーンの最後のＰＳＮアドレス、つまりアドレス(22D7DF)hex の後に配置されている。Ｌ１層のデータゾーンにおける最初のＰＳＮは、アドレス(DD2820)hex に存在している。Ｌ１層のデータゾーンの最後のＰＳＮアドレスは、アドレス（FCFFFF）hex にある。イントロ、クロージャ及びジャンプゾーンの物理セクタは、所定値（例えばゼロ）にセットされたデータフレームの特定のビット（例えばビット２６及び２７）を有し、それにより、これらゾーンは、データゾーンであるかのように識別されるようになっている。
【００２０】
多層ディスク用の複数セッションフォーマットにより、第１のスーパーセッションをディスク上に記録した後でも、新規セッションを追加することができる。セッションのファイルは、両層にわたって対称的に分散させることができる。その結果、空のスペースは存在しないか又は僅かしか存在しなくなり、ディスクは、セッションを閉じた後（すなわち、全てのスペースをダミーデータで満たした後）で、殆どのＤＶＤ―ＲＯＭプレーヤ上で再生することができる。複数セッションＤＶＤプレーヤ及びＰＣドライブにおいて、全てのセッションを読み込むことができる。セッションは、０以上の層ジャンプを有してもよい。
【００２１】
本発明によるファイナライズした二重層ＤＶＤ複数セッションディスクを、図３に示す。図３は、４つのセッションを有するＤＶＤディスクを示す。セッションは、セッション番号の順に書き込まれている。セッション１、２及び４は、各々層ジャンプを有するのに対し、セッション３は層ジャンプを有していない（セッション３は、例えば層ジャンプを行うには小さいものとしうる）。ユーザが（４つのセッションを記録した後で）、ディスクをファイナライズする場合、ファイナライズに要する時間が限られたものになり（セッション４の部分にのみダミーデータが書き込まれる）、ディスクの容量が効率的に利用されるようになる。
【００２２】
各々のセッションは、（図４に示されるように）それ自体のイントロゾーンと、（一時）ファイルシステム情報と、データゾーンと、ジャンプゾーンと、クロージャゾーンとを有する。ジャンプゾーンの寸法は、十分に大きくするのが好ましい。Ｌ０層のデータゾーンが終了してＬ０層からＬ１層へ層ジャンプする際に、Ｌ１層上に書き込まれたデータが存在するのが好ましい。実施例においては、層ジャンプ後のエラーを排除するために、ジャンプゾーンの寸法は固定されている。ジャンプゾーン寸法は、約０．２ｍｍにするのが好ましい。このような寸法にすることにより、層ジャンプは、常に（ユーザ情報又はダミーデータの）情報を有する領域に到達するよう行われることになる。
【００２３】
各々のセッションは、そのセッション自体の及び全ての先行セッションのファイルシステム情報を含む。第１のセッションは、イントロ及びクロージャのためにリードイン及びリードアウトゾーンを使用する。セッションを閉じる際に、ファイルシステムを更新するのが好ましい。スペースは、ダミーデータで満たす必要がある。
【００２４】
ＤＶＤ―ＲＯＭドライブでデータを取出しうるようにするために、ディスクは、リードインゾーンと、データゾーンと、中間ゾーンと、リードアウトゾーンとを有し、データゾーンには何も記録されてない領域が存在しないようにする必要がある。ディスクをファイナライズすると、全ての記録されていない領域が満たされ、リードイン及びリードアウトゾーンが書き込まれ、ファイルシステムが更新される。
【００２５】
単一層ＤＶＤ＋Ｒの標準規格との互換性を維持するために、本発明では以下の方策を用いる。内側ドライブゾーン（図２を参照）は、最適パワー校正（ＯＰＣ）領域と、ＯＰＣカウントゾーンと、管理ゾーンと、テーブルオブコンテンツゾーン（ＴＯＣゾーン）とを有する。ＴＯＣゾーンは、ディスク上のセッション情報及び記録領域のインジケータを含む。ＴＯＣブロックのフォーマットは、ＤＶＤ＋Ｒ標準規格（バージョン１．１１の４８ページ）に説明されている。ＴＯＣのエラー訂正コード（ＥＣＣ）ブロックには、いわゆる１６バイトのＴＯＣ項目が存在している。これらのＴＯＣ項目を表１に記載する。
【００２６】
本発明によれば、スーパーセッションに対応するために、ＴＯＣブロックに以下の修正を行っている。層０上の最後のＰＳＮは、従来使用されなかったバイトＢ１３〜Ｂ１５に記憶される。このようにして、既存のＴＯＣブロックのフォーマットに大きな修正を加えることなく、スーパーセッションの物理アドレスを規定することができる。
【００２７】
全てのセッションには、（イントロ部に）内側セッション識別ゾーン及びセッション制御データゾーンが存在する。セッションディスク制御ブロック（ＳＤＣＢ）は、現在の及び先行するセッションに関する重要な情報を含んでいる。このＳＤＣＢのフォーマットは、ＤＶＤ＋Ｒ標準規格（バージョン１．１１の６４ページ）に説明されている。このＳＤＣＢで（本発明の目的に対して）最も関連する部分は、セッション項目が、フラグメント項目及び先行セッション項目から成ることである。これらの項目を表２及び表３に記載する。
【００２８】
表２に記載されるフラグメント項目を参照する。ＳＤＣＢのフラグメント項目において、バイト１１〜１３は従来使用されていなかった。本発明の実施例においては、Ｌ０層上のセッションの最大ＰＳＮの位置を記憶させるために、これらのバイトを使用する。次に、表３に記載される先行セッション項目を参照する。この場合も、バイト１１〜１３は従来使用されていなかったが、本発明の実施例では、Ｌ０層上のセッションの最大ＰＳＮを特定するために、これらのバイト１１〜１３を使用する。
【００２９】
２つのジャンプゾーンは、充分な寸法にし、少なくとも１つの１ ＥＣＣブロックを含むようにするのが好ましい。少なくとも１つのダミーＥＣＣブロックは、ランアウト及びランイン用にＬ０層及びＬ１層にそれぞれ書き込むべきであるが、この書き込み処理は、層ジャンプの直前及び直後に行うのが好ましい。セッションを閉じた後、全てのオープン領域にダミーデータを満たし、最新のファイルシステムを書き込む必要がある。更に、Ｌ０層及びＬ１層上のジャンプゾーン（例えば中間ゾーン）は、好ましくは０により満たす必要がある。
【００３０】
ジャンプゾーンの寸法は十分大きくして、Ｌ０層の最大データのＰＳＮにおける層ジャンプ中に、データが他方の層（すなわちＬ１層）に存在することが保証されるようにする必要がある。
【００３１】
異なるブロックを有するＯＴＰセッションの線図を図４に示す。新規セッションを開始する際には、（例えば、６４ ＥＣＣブロックの寸法を有する）イントロ及びクロージャゾーンを、先行セッションのジャンプゾーンに隣接して書き込むことになる。以降のセッションに対する手順は、第１セッションのものと同様である。
【００３２】
本発明を、ＯＴＰ型の二重層ＤＶＤ＋Ｒディスクを参照して説明したが、本発明は、平行トラック経路（ＰＴＰ）のフォーマットを含むその他の多層光ディスクのフォーマットにも使用しうることに注意されたい。
【００３３】
【表１】
2007503073.tif 000003
【表２】
2007503073.tif 000004
【表３】
2007503073.tif 000005
【図面の簡単な説明】
【００３４】
【図１】図１は、単一セッションのＯＴＰ型ＤＶＤ−ＲＯＭ互換ディスクの線図である。
【図２】図２は、部分的に記録されファイナライズされたＯＴＰ型二重層ＤＶＤディスクの線図である。
【図３】図３は、４つのセッションを有するファイナライズされたＯＴＰ型二重層ＤＶＤディスクであって、セッション４にダミーデータ領域が示されている当該ＤＶＤディスクの線図である。
【図４】図４は、スーパーセッションの線図である。
【図１】
2007503073.tif 000006
【図２】
2007503073.tif 000007
【図３】
2007503073.tif 000008
【図４】
2007503073.tif 000009
【国際調査報告】
2007503073.tif 000010
2007503073.tif 000011